Podtech/llm-jp-corpus-v4-ja_patent huggingface dataset:
【手続補正書】
【提出日】平成29年9月21日(2017.9.21)
【手続補正１】
【補正対象書類名】特許請求の範囲
【補正対象項目名】全文
【補正方法】変更
【補正の内容】
【特許請求の範囲】
【請求項１】
核酸中の構造データを検出するための方法であって、
（ａ）化学的修飾を有することが疑われる核酸を提供する段階、
（ｂ）ポリメラーゼ及びテンプレートとして段階（ａ）で提供される核酸を用いて、核酸を合成する段階であって、この合成が、該ポリメラーゼが段階（ａ）で提供される核酸中の化学修飾を読み取り、その結果合成された核酸において該化学修飾部位に、テンプレートヌクレオチドに非相補的なヌクレオチド又は欠失（但し、相補的なヌクレオチドがあったサイトの欠失も含む。）を生じるような条件下で行われる段階、
（ｃ）該テ非相補的なヌクレオチド又は該欠失を検出する段階、及び
（ｄ）段階（ａ）で提供される核酸の構造データから成る出力ファイルを生成する段階、
から成る方法。
【請求項２】
前記核酸がＲＮＡである請求項１に記載の方法。
【請求項３】
二又はそれ以上の化学修飾を検出する請求項２に記載の方法。
【請求項４】
前記ポリメラーゼが、複数の化学修飾を読み取り、複数の不正確なヌクレオチド又は欠失を生成し、前記検出が各不正確なヌクレオチド又は欠失を検出することを含む、請求項３に記載の方法。
【請求項５】
前記核酸が化学修飾をもたらす試薬に曝露されていた、又は前記核酸中に前記化学修飾が予め存在していた、請求項１〜４のいずれか一項に記載の方法。
【請求項６】
前記核酸が化学修飾をもたらす２種の試薬に曝露され、これら２つの試薬に対する反応プロファイルの違いを利用することにより、RNA構造内の構造独特の相互作用に関与するヌクレオチドを同定する、請求項１〜４のいずれか一項に記載の方法。
【請求項７】
前記試薬が求電子剤を含む請求項５又は６に記載の方法。
【請求項８】
前記求電子剤が前記ＲＮＡ中の非拘束ヌクレオチドを選択的に修飾し、共有結合性リボース２'−Ｏ−付加物を形成する、請求項７に記載の方法。
【請求項９】
前記試薬が、１Ｍ７、１Ｍ６、ＮＭＩＡ、ＤＭＳ又はそれらの組み合わせである、請求項５又は６に記載の方法。
【請求項１０】
前記２種の試薬が１Ｍ６及びＮＭＩＡである請求項６に記載の方法。
【請求項１１】
前記段階（ａ）で提供される核酸が、生物学的試料中に存在する、又は生物学的試料に由来する、請求項１〜１０のいずれか一項に記載の方法。
【請求項１２】
前記ポリメラーゼが逆転写酵素である、請求項１〜１１のいずれか一項に記載の方法。
【請求項１３】
前記ポリメラーゼが、天然ポリメラーゼ又は変異型ポリメラーゼである、請求項１〜１２のいずれか一項に記載の方法。
【請求項１４】
前記（ｃ）段階が、前記核酸の配列を決定する段階を含む、請求項１〜１１のいずれか一項に記載の方法。
【請求項１５】
前記決定された核酸配列が前記段階（ａ）で提供される核酸配列に整列される、請求項１４に記載の方法。
【請求項１６】
前記（ｃ）不正確なヌクレオチドを検出する段階が、前記核酸の超並列配列決定法(MPS)を用いることを含む、請求項１〜１４のいずれか一項に記載の方法。
【請求項１７】
更に、正規化し、比較し、及び／又は、ＲＮＡ構造情報のような（但し、これに限定されさない）核酸構造情報を含む別のデータセットと結合する、段階を含む請求項１又は２に記載の方法。
【請求項１８】
前記構造が、プライマー結合部位、タンパク質結合部位、小分子結合部位、又はそれらの組合せを含む、請求項１〜１７のいずれか一項に記載の方法。
【請求項１９】
プライマー、タンパク質、小分子又はそれらの組み合わせの存在下及び不存在下で核酸構造を解析し、プライマー結合部位、タンパク質結合部位、小分子結合部位又はそれらの組み合わせを同定することを含む、請求項１〜１８のいずれか一項に記載の方法。
【請求項２０】
請求項１〜１９のいずれか一項に記載の方法のいずれかの段階を含む段階を実行する、コンピュータ可読媒体に具現化されたコンピュータ実行可能命令を含むコンピュータプログラム製品。
【請求項２１】
請求項１〜９のいずれか一項に記載の方法を実施することから成る、核酸ライブラリの製法。
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
少なくとも１種の流体試料中の、酸化・還元成分を生成する物質の存在及び／又は量を決定する方法であって、前記少なくとも１種の試料を、検知コンパートメントと制御可能に流体連通している少なくとも一つのチャンバを含む検知システムに導入することを含み、前記少なくとも１つのチャンバが流体を収容するように構成されており、前記検知コンパートメントは半導体ナノ構造と、前記ナノ構造に共有結合した官能性部分とを含み、前記官能性部分は酸化・還元反応部分であって、酸化・還元成分との接触によって、前記ナノ構造の電気特性の検出可能な変化を生じるものであり、前記電気特性の検出可能な変化が、前記少なくとも１種の試料における前記物質の存在及び／又は量の指標となる、方法。
【請求項２】
少なくとも１種の流体試料を、前記物質が前記酸化・還元成分を生成する反応条件下におくことを更に含む、請求項１に記載の方法。
【請求項３】
前記条件下におくことが、前記チャンバを前記条件を提供する他のチャンバに流体連通させることを含む、請求項２に記載の方法。
【請求項４】
少なくとも１種の流体試料が細胞を含み、前記酸化成分又は前記還元成分を生成する前記物質の前記細胞における存在及び／又は量を決定するための、請求項１〜３のいずれか一項に記載の方法。
【請求項５】
前記物質が代謝産物である、請求項１〜４のいずれか一項に記載の方法。
【請求項６】
少なくとも１種の流体試料が細胞を含み、前記細胞の代謝活性の決定又はモニタリングのための、請求項５に記載の方法。
【請求項７】
前記細胞を含む少なくとも１種の流体試料が、治療薬を更に含み、前記治療薬と接触した前記細胞の活性の決定又はモニタリング、および前記細胞に対する前記治療薬の有効性の決定の少なくとも一方を実施するための、請求項６に記載の方法。
【請求項８】
前記物質が代謝産物であり、前記細胞の代謝活性を変更することが可能な薬剤を同定するための、請求項４に記載の方法。
【請求項９】
被験体における改変された代謝活性に関連した疾病の診断、および被験体における改変された代謝活性に関連した疾病の治療のモニタリングの少なくとも一方を実施するための、請求項１〜６のいずれか一項に記載の方法。
【請求項１０】
少なくとも１種の流体試料中の酸化・還元成分の存在及び／又は量を決定する方法であって、前記少なくとも１種の試料を、検知コンパートメントと制御可能に流体連通している少なくとも一つのチャンバを含む検知システムに導入することを含み、前記少なくとも１つのチャンバは流体を収容するように構成されており、前記検知コンパートメントは半導体ナノ構造と、前記ナノ構造に共有結合した官能性部分とを含み、前記官能性部分は酸化・還元反応部分であって、酸化・還元成分との接触によって、前記ナノ構造の電気特性の検出可能な変化を生じるものであり、前記電気特性の検出可能な変化が、前記少なくとも１種の試料における酸化・還元成分の存在及び／又は量の指標となる、方法。
【請求項１１】
検知コンパートメントと制御可能に流体連通している少なくとも一つのチャンバを含むシステムであって、前記少なくとも１つのチャンバが流体を収容するように構成されており、前記検知コンパートメントは半導体ナノ構造と、前記ナノ構造に共有結合した官能性部分とを含み、前記官能性部分は酸化・還元反応部分であって、酸化・還元成分との接触によって、前記ナノ構造の電気特性の検出可能な変化を生じるものである、システム。
【請求項１２】
少なくとも２つのチャンバを含み、それぞれのチャンバは流体を収容するように構成され、前記検知コンパートメントと流体連通しており、前記チャンバの少なくとも１つは、分析するべき試料を保持するように構成されており、前記チャンバの少なくとも１つは、前記酸化・還元反応部分が生成される条件を提供するように選択された流体を保持するように構成されている、請求項１１に記載のシステム。
【請求項１３】
前記追加の検知装置が光学検知装置を含む、請求項１２に記載のシステム。
【請求項１４】
前記官能性部分は、酸化数が可逆的に変化しうる原子を少なくとも１つ有する官能基を少なくとも１つ含む、請求項１〜１０のいずれか一項に記載の方法。
【請求項１５】
前記流体連通が、マイクロチャネルを用いて達成される、請求項１〜１０および１４のいずれか一項に記載の方法。
【請求項１６】
前記官能性部分は、酸化数が可逆的に変化しうる原子を少なくとも１つ有する官能基を少なくとも１つ含む、請求項１１〜１３のいずれか一項に記載のシステム。
【請求項１７】
前記流体連通が、マイクロチャネルを用いて達成される、請求項１１〜１３および１６のいずれか一項に記載のシステム。
【手続補正書】
【提出日】平成29年8月29日(2017.8.29)
【手続補正１】
【補正対象書類名】特許請求の範囲
【補正対象項目名】全文
【補正方法】変更
【補正の内容】
【特許請求の範囲】
【請求項１】
有機体内へアクチュエータによって駆動されると、有機体から生検試料を採取して保持するための試料収集器であって、
パンチおよび識別子を備え、
前記パンチは、生検試料を切除して保持するために当該パンチの切断端部に形成される切断縁部を有する切断器を含み、
前記識別子は、当該試料収集器上または当該試料収集器内の固有の識別子であって、前記試料を採取するために当該試料収集器を使用する時、機械可読することができ、
前記識別子が、当該試料収集器の本体の中に埋設されるＥＩＤを備える、試料収集器。
【請求項２】
前記ＥＩＤが、前記パンチの本体の中に埋設される、請求項１に記載の試料収集器。
【請求項３】
前記パンチに取り付けられ、前記パンチから前記試料を取り出すために駆動可能であるプランジャを含み、
前記ＥＩＤは前記プランジャの本体の中に埋設される、請求項１に記載の試料収集器。
【請求項４】
前記試料を閉じ込めるために、バイアルまたはカバーに係合する機構を含み、
前記バイアルまたはカバーはそれ自体の固有識別子を含む、請求項１から３のいずれか一項に記載の試料収集器。
【請求項５】
１組の試料収集器であって、
各試料収集器は、有機体内へアクチュエータによって駆動されると、有機体から生検試料を採取して保持するように適合されており、
各試料収集器が、パンチおよび識別子を備え、
前記パンチは、生検試料を切除して保持するために当該パンチの切断端部に形成される切断縁部を含む切断器を含み、
前記識別子は、ＥＩＤを備え、当該試料収集器上または当該試料収集器内にあって、前記試料を採取するために当該試料収集器を使用する時、機械可読することができ、
前記組をなす試料収集器のすべてが、前記識別子に関する以外は同一であり、各試料収集器の前記識別子は、試料収集器の前記組にわたって固有である、１組の試料収集器。
【請求項６】
前記ＥＩＤが、前記パンチの本体の中に埋設される、請求項５に記載の１組の試料収集器。
【請求項７】
前記パンチに取り付けられ、前記パンチから前記試料を取り出すために駆動可能であるプランジャを含み、
前記ＥＩＤは前記プランジャの本体の中に埋設される、請求項５に記載の１組の試料収集器。
【請求項８】
試料を採取する方法であって、
（ａ）組織試料採取器の駆動位置へ試料収集器を提供するステップであって、前記試料収集器が、有機体の中へアクチュエータによって駆動されると、有機体から生検試料を採取して保持するように適合され、前記試料収集器が、パンチと、当該試料収集器上または当該試料収集器内にあるＥＩＤとを備え、前記パンチが生検試料を切除して保持するために当該パンチの切断端部に形成される切断縁部を含むステップと、
（ｂ）サンプリングする時に、追加の情報と共に、前記試料収集器のＥＩＤを読み取り、保存するステップであって、追加の情報が、i）前記試料収集器に結合されている、または結合されることになるバイアルまたはカバーの識別、および、ii）試料採取される有機体の識別、の少なくとも１つを含むステップと、を含む、方法。
【請求項９】
アプリケータが、駆動位置で提示される前記試料収集器のＥＩＤを読み取るための読み取り装置を含む、請求項８に記載の方法。
【請求項１０】
前記読み取り装置が、試料採取される前記有機体の上または中に配置されるＥＩＤを更に読み取る、請求項９に記載の方法。
【請求項１１】
請求項１に記載の試料収集器と協働する試料採取器工具であって、
本体を備え、
前記本体は、前記試料収集器を駆動し、かつ試料を有機体から切除するために、前記試料収集器を初期位置から駆動し、前記切断器を有機体の部分を通って押すために位置合わせされる第１の位置と、前記切断器がラムによって押し通された第２の位置との間で、当該本体に対して通路に沿って移動するように駆動され得るラムを担持しており、
ＥＩＤ読み取り装置、および好適にはＥＩＤ読み取り情報保存装置を更に備える、試料採取器工具。
【請求項１２】
複数の前記試料収集器を含むマガジンを保持するためのマガジンレセプタクルを含み、
前記マガジンレセプタクルによって、前記マガジンが当該試料採取器工具に対して移動することができ、その結果、各試料収集器が前記ラムによって駆動される、請求項１１に記載の試料採取器工具。
【請求項１３】
請求項１に記載の試料収集器を備える、試料を保持する試料収集器であって、
前記切断器によって切除された有機体からの試料が、前記切断器によって保持され、前記プランジャが、前記パンチに対して前記試料を前記切断器から移動させることができる位置にある、試料を保持する、試料収集器。
【請求項１４】
請求項１に記載の試料収集器と、封じ込め領域を一体に画定する取り外し可能なキャップによって閉鎖される開口を含む容器本体を備える貯蔵容器との組立体であって、
前記キャップは、前記試料収集器によって封止された前記封じ込め領域の中への通路を含み、試料収集器が試料を前記封じ込め領域内に保持する、組立体。
【請求項１５】
前記貯蔵容器がＥＩＤを備える、請求項１４に記載の組立体。
【請求項１６】
前記試料収集器のＥＩＤと前記貯蔵容器のＥＩＤとがサンプリングする時に読み取られて保存される、請求項１４または１５に記載の組立体。
【請求項１７】
前記試料収集器のＥＩＤと、前記貯蔵容器のＥＩＤと、試料が採取された有機体の及び有機体に由来した識別子とがサンプリングする時に読み取られて保存される、請求項１４から１６のいずれか一項に記載の組立体。
【請求項１８】
前記キャップは、開封明示様式で前記容器本体に取り外し可能に固定される、請求項１４から１６のいずれか一項に記載の組立体。
【請求項１９】
前記開口及び前記通路は、前記試料を切り離すために前記切断器と協働する打ち抜き型として機能する請求項１４から１７のいずれか一項に記載の組立体。
【請求項２０】
前記試料収集器および前記貯蔵容器を保持することができる本体を備えるとともに、前記本体が、前記試料収集器を駆動するラムを、試料が切断されることになる有機体の部分によって前記貯蔵容器から分離される初期位置（ａ）から、有機体の前記部分を通って、前記試料収集器が前記ラムによって有機体の前記部分を通って駆動される第２の位置（ｂ）であって、試料を有機体から切除するために、前記試料収集器を前記容器本体によって前記通路に留まらせる第２の位置（ｂ）まで担持する工具によって組み立てられる、請求項１４から１８のいずれか一項に記載の組立体。
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
（ａ）第１の面と、第２の面と、該面間の厚さ方向とを有する半導体素子と、
（ｂ）前記第１の面の第１の部分のみの上に重なるとともに該第１の部分のみと接触するバイアスエージェントであって、前記半導体素子内にバンド曲がりを生じさせる、バイアスエージェントと、
（ｃ）前記第１の部分から分離した前記第１の面の第２の部分の上に重なるとともに該第２の部分と接触する第１の電極であって、前記バイアスエージェントと直接導電性の接触状態にない、第１の電極と、
（ｄ）前記第１の面から離間したロケーションにおいて前記半導体素子と接触する第２の電極と、
を備える、光起電力セル。
【手続補正書】
【提出日】平成29年8月31日(2017.8.31)
【手続補正１】
【補正対象書類名】特許請求の範囲
【補正対象項目名】全文
【補正方法】変更
【補正の内容】
【特許請求の範囲】
【請求項１】
ＬＥＤからの光出力の１以上の特性を制御する方法であって、
第１ユーザインターフェース部を介して、光発生源領域を示す光発生源入力を受信するステップと、
前記光発生源入力に基づいて、前記光発生源領域における１以上のＬＥＤを識別するステップと、
第２ユーザインターフェース部を介して、光目標領域を示す光目標入力を受信するステップと、
前記光発生源領域からの前記光目標領域の照明を達成するために、前記光発生源領域における前記識別された１以上のＬＥＤに関係する１以上の制御パラメータを前記光目標入力に基づいて決定するステップと、
前記１以上の制御パラメータを実行させるステップと、
を有する、方法。
【請求項２】
前記第１ユーザインターフェース部が第１面上にあり、前記第２ユーザインターフェース部が前記第１面とは異なる第２面上にある、請求項１に記載の方法。
【請求項３】
前記第１ユーザインターフェース部がモバイル計算装置の第１面上にあり、前記第２ユーザインターフェース部が該モバイル計算装置の第２面上にある、請求項２に記載の方法。
【請求項４】
前記第１ユーザインターフェース部が第１面上にあり、前記第２ユーザインターフェース部が該第１面の固有の部分上にある、請求項１に記載の方法。
【請求項５】
前記第１ユーザインターフェース部が前記１以上のＬＥＤを支持する構造体上にある、請求項１に記載の方法。
【請求項６】
前記光発生源入力を受信するステップが、
前記光発生源領域におけるＬＥＤの少なくとも１つが少なくとも部分的に覆われていることを示すデータを受信するステップ、
を含む、請求項１に記載の方法。
【請求項７】
前記１以上の制御パラメータを実行させるステップが、
前記光発生源領域における１以上のＬＥＤのうちの何れを活性化すべきかを決定するステップ、
を含む、請求項１に記載の方法。
【請求項８】
モバイル計算装置との接続を確立するステップを更に有し、前記光発生源入力及び前記光目標入力が前記モバイル計算装置との該接続を介して受信される、請求項１に記載の方法。
【請求項９】
前記第２ユーザインターフェース部を介して、前記光目標領域の修正及び前記光目標領域に供給される照明の修正の少なくとも一方を示す光目標入力微調整情報を受信するステップと、
前記光目標入力微調整情報に基づいて、前記光発生源領域における前記識別された１以上のＬＥＤに関する１以上の微調整された制御パラメータを決定するステップと、
前記１以上の微調整された制御パラメータを実行させるステップと、
を更に有する、請求項１に記載の方法。
【請求項１０】
前記光目標入力微調整情報は前記光目標領域の修正された領域への修正を示し、該修正された領域の前記光発生源領域からの照明を行うために前記１以上の微調整された制御パラメータが決定される、請求項９に記載の方法。
【請求項１１】
前記光目標入力微調整情報は、前記光目標領域に供給される照明の、カラーの変更、色温度の変更及び輝度の変更のうちの少なくとも１つによる修正を示し、前記照明の前記カラーの変更、色温度の変更及び輝度の変更のうちの少なくとも１つを行うために前記１以上の微調整された制御パラメータが決定される、請求項９に記載の方法。
【請求項１２】
前記光発生源入力が前記光目標入力より前に受信され、当該方法が、
前記光目標入力を受信する前に可能性のある光目標領域の視覚的指示情報を提供するステップ、
を更に有する、請求項１に記載の方法。
【請求項１３】
前記光目標入力が前記光発生源入力より前に受信され、当該方法が、
前記光発生源入力を受信する前に、可能性のある光発生源領域の視覚的指示情報を提供するステップ、
を更に有する、請求項１に記載の方法。
【請求項１４】
メモリと、該メモリに記憶された命令を実行するコントローラとを有する照明装置であって、前記命令が、
第１ユーザインターフェース部を介して、光発生源領域を示す光発生源入力を受信する命令と、
前記光発生源入力に基づいて、前記光発生源領域における１以上のＬＥＤを識別する命令と、
第２ユーザインターフェース部を介して、光目標領域を示す光目標入力を受信する命令と、
前記光発生源領域からの前記光目標領域の照明を達成するために、前記光発生源領域における前記識別された１以上のＬＥＤに関係する１以上の制御パラメータを前記光目標入力に基づいて決定する命令と、
前記１以上の制御パラメータを実行させる命令と、
を含む、照明装置。
【請求項１５】
複数のＬＥＤと、
前記ＬＥＤと電気的に通信する少なくとも１つのコントローラと、
を有する照明システムであって、前記少なくとも１つのコントローラが、
第１ユーザインターフェース部を介して、光発生源領域を示す光発生源入力を受信し、
前記光発生源入力に基づいて、前記光発生源領域における１以上のＬＥＤを識別し、
第２ユーザインターフェース部を介して、光目標領域を示す光目標入力を受信し、
前記光発生源領域からの前記光目標領域の照明を達成するために、前記光発生源領域における前記識別された１以上のＬＥＤに関係する１以上の制御パラメータを前記光目標入力に基づいて決定し、
前記１以上の制御パラメータを実行させる、
照明システム。
【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
照明制御システムによってモバイルコンピュータデバイスに、複数のノードと複数のエッジとを含むグラフを提供するステップであって、各ノードは、環境内の特定の光源によって生成される照明効果の場所に対応し、前記照明制御システムは、前記照明効果を制御し、各エッジは、２つのノード間の経路を表す、グラフを提供するステップと、
前記照明制御システムによって、第１の場所に対応する第１のノードと第２の場所に対応する第２のノードとの間で前記モバイルコンピュータデバイスが前記グラフ内を移動した経路を示すデータを受信するステップと、
前記モバイルコンピュータデバイスによって、前記エッジがもはや横断されないとの決定に応えて、前記グラフから前記エッジを取り除くステップと、
を含む、コンピュータによって実施される方法。
【請求項２】
前記グラフは、第１のグラフであり、前記方法は更に、前記照明制御システムによって、前記第１のグラフと前記経路を示す受信した前記データとに基づいて、第２のグラフを生成するステップを含み、前記第２のグラフは、前記第１のグラフの前記複数のエッジとは異なる第２の複数のエッジを含む、請求項１に記載のコンピュータによって実施される方法。
【請求項３】
前記生成するステップは、
前記照明制御システムによって、前記第１のノードから前記第２のノードまでの前記第１のグラフ内の最適経路を計算するステップと、
前記照明制御システムによって、計算された前記最適経路と、前記モバイルコンピュータデバイスが前記第１のグラフ内を移動した前記経路との差を決定するステップと、
を含む、請求項２に記載のコンピュータによって実施される方法。
【請求項４】
前記モバイルコンピュータデバイスは、第１のモバイルコンピュータデバイスであり、前記方法は更に、前記照明制御システムによって第２のモバイルコンピュータデバイスに、前記第２のグラフを提供するステップを含む、請求項２に記載のコンピュータによって実施される方法。
【請求項５】
前記照明制御システムによって前記モバイルコンピュータデバイスに、前記第１のグラフ内の優先的経路を提供するステップを更に含む、請求項２に記載のコンピュータによって実施される方法。
【請求項６】
前記照明制御システムによって、１つ以上の優先的商品のリストを取得するステップと、
前記照明制御システムによって、前記１つ以上の優先的商品が置かれている前記環境内の照明効果の１つ以上の場所を特定するステップと、
前記照明制御システムによって、特定された前記１つ以上の場所に基づいて、前記第１のグラフ内の前記優先的経路を生成するステップと、
を更に含む、請求項５に記載のコンピュータによって実施される方法。
【請求項７】
命令を含み、照明制御システムによる前記命令の実行に応えて、前記照明制御システムに、請求項１に記載の方法を実行させる、少なくとも１つの非一時的コンピュータ可読媒体。
【請求項８】
環境内を移動する複数のモバイルコンピュータデバイスに、複数のノードと複数のエッジとを含む第１のグラフを提供する第１のグラフ提供モジュールであって、各ノードは、前記環境内の特定の光源によって生成され且つ照明制御システムによって制御される照明効果の場所に対応し、各エッジは２つのノード間の経路を表す、第１のグラフ提供モジュールと、
前記複数のモバイルコンピュータデバイスが前記第１のグラフ内を移動した経路を示すフィードバックを取得するフィードバックモジュールと、
前記フィードバックモジュールによって取得された前記フィードバックに少なくとも部分的に基づいて、第２のグラフを生成し、前記モバイルコンピュータデバイスによって前記エッジがもはや横断されないとの決定に応えて、前記第１のグラフから前記エッジを取り除く、グラフ生成モジュールと、
を含む、照明制御システム。
【請求項９】
前記グラフ生成モジュールは更に、前記環境内の第１の場所に対応する第１のノードから、前記環境内の第２の場所に対応する第２のノードまでの前記第１のグラフ内の最適経路を計算し、計算された前記最適経路と、前記第１の場所から前記第２の場所まで１つ以上のモバイルコンピュータデバイスが移動した経路との差を決定する、請求項８に記載の照明制御システム。
【請求項１０】
前記１つ以上のモバイルコンピュータデバイスに、前記第１のグラフ内の優先的経路を提供する優先的経路モジュールを更に含む、請求項８に記載の照明制御システム。
【請求項１１】
前記優先的経路モジュールは、
１つ以上の優先的商品のリストを取得し、
前記１つ以上の優先的商品が置かれている前記環境内の照明効果の１つ以上の場所を特定し、
特定された前記１つ以上の場所に基づいて、前記優先的経路を生成する、請求項１０に記載の照明制御システム。
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
データを通信するための二重チャネルを識別するステップであって、前記二重チャネルは、下りリンク、上りリンク、及び、前記上りリンクから前記下りリンクを分離する二重ギャップを含む、ステップと、
前記二重ギャップの二重ギャップサブチャネルを、前記二重チャネルの前記上りリンクに隣接する個々の二重ギャップサブチャネルが前記上りリンクに隣接しない別の二重ギャップサブチャネルとは異なる振幅を有するような信号プロファイルで構成することにより、前記二重チャネルの前記二重ギャップ及び前記上りリンク上で前記データを符号化及び送信するステップと、
を含む方法。
【請求項２】
前記上りリンクに隣接する前記個々の二重ギャップサブチャネルが前記上りリンクに隣接しない前記別の二重ギャップサブチャネルよりも高い振幅を有するように前記信号プロファイルを構成するステップをさらに含む、請求項１記載の方法。
【請求項３】
前記下りリンクは、前記二重ギャップよりも低い周波数からなり、前記二重ギャップは、前記上りリンクよりも低い周波数からなる、請求項１記載の方法。
【請求項４】
前記符号化は、前記上りリンクに対する相対的近さに少なくとも基づいて、前記二重ギャップサブチャネルの各々に対して、動的に可変の直交周波数分割変調を実行することを含む、請求項１記載の方法。
【請求項５】
前記上りリンクに隣接する前記個々の二重ギャップサブチャネルが前記上りリンクに隣接しない前記別の二重ギャップサブチャネルよりも低い振幅を有するように前記信号プロファイルを構成するステップをさらに含む、請求項１記載の方法。
【請求項６】
二重チャネルの二重ギャップ及び下りリンク上で信号を送信するよう構成されている送信機であって、前記二重ギャップは、前記二重チャネルの上りリンクから前記二重チャネルの前記下りリンクを分離する、送信機と、
前記二重ギャップの二重ギャップサブチャネルのそれぞれの二重ギャップサブチャネル振幅を、前記下りリンクからの個々の二重ギャップサブチャネルのそれぞれの距離に少なくとも基づいて構成し、
前記送信機に、前記二重チャネルの前記二重ギャップ及び前記下りリンクを一緒に使用させて、データを符号化した信号であって、前記それぞれの二重ギャップサブチャネル振幅で前記二重ギャップサブチャネルにおいて伝達される信号、を、前記下りリンク及び前記二重ギャップ上で同時に送信させる
よう構成されている通信回路と、
を備えたシステム。
【請求項７】
前記通信回路は、さらに、前記下りリンクに対する相対的近さに少なくとも基づいて、前記二重ギャップサブチャネルに対して、動的に可変の直交周波数分割多重化を実行することにより、前記二重ギャップサブチャネルを構成するよう構成されている、請求項６記載のシステム。
【請求項８】
無線チャネルを介して通信するよう構成されている受信機及び送信機を含む無線回路と、
１以上のプロセッサと、
命令を記憶している１以上の記憶デバイスであって、前記命令は、前記１以上のプロセッサにより実行されたときに、前記１以上のプロセッサに、
二重無線チャネルの二重チャネル下りリンクとともに前記二重無線チャネルの二重ギャップを、前記無線回路に、前記二重チャネル下りリンクの下りリンクサブチャネル及び前記二重ギャップの二重ギャップサブチャネル上でデータを同時に送信させることにより、動作させさせる、
１以上の記憶デバイスと、
を備え、
前記二重ギャップは、前記二重無線チャネルの二重チャネル上りリンクから前記二重チャネル下りリンクを分離する、デバイス。
【請求項９】
前記命令は、前記１以上のプロセッサにより実行されたときに、前記１以上のプロセッサに、異なる二重ギャップサブチャネルについて異なる変調方式を使用させる、請求項８記載のデバイス。
【請求項１０】
前記命令は、前記１以上のプロセッサにより実行されたときに、前記１以上のプロセッサに、前記二重チャネル下りリンクに対する前記異なる二重ギャップサブチャネルの相対的近さに少なくとも基づいて、前記異なる変調方式を選択させる、請求項９記載のデバイス。
【手続補正書】
【提出日】平成29年8月14日(2017.8.14)
【手続補正１】
【補正対象書類名】特許請求の範囲
【補正対象項目名】全文
【補正方法】変更
【補正の内容】
【特許請求の範囲】
【請求項１】
ストリーミングデータの圧縮センシングを実行する方法であって、
データの入力ストリームにおいてオーバーラップするウィンドウのためのセンシング行列Ａのシーケンスを再帰的に選択することと、第（ｉ＋２）のオーバーラップするウィンドウのための前記センシング行列Ａ(ｉ＋１)は、式Ａ（ｉ＋１）＝［ａ２（ｉ）,ａ３（ｉ）, . . . , ａｎ（ｉ）, ａ１（ｉ）］によって定義され、ここで、ａＬ（ｉ）は、前記センシング行列Ａ(ｉ)の第Ｌ列であり、ｎは各オーバーラップするウィンドウの長さであり、ｉは０以上であり、
式ｙ（ｉ＋１）＝ｙ（ｉ）＋（ｘｉ＋ｎ-ｘｉ）ａ１（ｉ）を使用して、前記第（ｉ＋２）のオーバーラップするウィンドウのための測定値ｙ（ｉ＋１）を取得することと、ここで、ｉは０以上であり、第（ｉ＋１）のオーバーラップするウィンドウに対応するデータの前記入力ストリームの信号ｘ（ｉ）は、式ｘ（ｉ）＝［ｘｉ ｘｉ＋１ . . . ｘｉ＋ｎ−１］によって定義され、最初のオーバーラップするウィンドウのための前記推定値ｙ（０）は、式ｙ（０）＝Ａ（０）ｘ（０）によって定義される、
に少なくとも部分的によって、データの入力ストリームを、連続するオーバーラップするウィンドウを使用して再帰的にサンプリングすること
を備える、方法。
【請求項２】
前記測定値ｙ（ｉ＋１）を取得する前記ステップは、前記センシング行列Ａのうちの１つを含む行列乗算を実行することなく実行される、請求項１に記載のストリーミングデータの圧縮センシングを実行するための方法。
【請求項３】
前記測定値ｙ（ｉ）を取得する前記ステップは、再帰的な推定を介した再帰的なサンプリングの前記ステップの間にサンプリングされたデータとしての、前記入力ストリームを処理することを備える、請求項１に記載のストリーミングデータの圧縮センシングを実行するための方法。
【請求項４】
前記入力データストリームに関する情報を受信することをさらに備え、ここにおいて、前記情報は、以前の推定値取得ステップの間に取得された以前の推定値に関係し、前記以前の推定値取得ステップは、前記再帰的なサンプリングステップの前に実行される、
請求項３に記載のストリーミングデータの圧縮センシングを実行するための方法。
【請求項５】
データストリームの台を検出することと、
前記データストリームの台検出ステップの間に取得される情報に基づいて、回数推定を実行することと
をさらに備える、請求項３に記載のストリーミングデータの圧縮センシングを実行するための方法。
【請求項６】
前記再帰的な推定ステップの間に取得されるデータに基づいて、データストリームの台の集合に対して最小２乗推定（ＬＳＥ）値を算出することをさらに備える、請求項３に記載のストリーミングデータの圧縮センシングを実行するための方法。
【請求項７】
平均された値を算出するために、前記算出された最小２乗推定値と、前記回数推定値と、前記以前の推定値とを平均することをさらに備える、請求項６に記載のストリーミングデータの圧縮センシングを実行するための方法。
【請求項８】
前記ストリーミングデータに対する新しい推定値を取得するために、前記平均された値を使用することをさらに備える、請求項７に記載のストリーミングデータの圧縮センシングを実行するための方法。
【請求項９】
ストリーミングデータの前記圧縮センシングの計算量を分析することをさらに備える、請求項１に記載のストリーミングデータの圧縮センシングを実行するための方法。
【請求項１０】
ストリーミングデータを感知するための前記方法の誤差の程度を推定することをさらに備える、請求項９に記載のストリーミングデータの圧縮センシングを実行するための方法。
【請求項１１】
新しいウィンドウを復号するために、反復的な最適化アルゴリズムにおいて収束を達成することをさらに備え、ここにおいて、前記達成するステップは、好ましくは、連続するオーバーラップするウィンドウを使用する前記ステップによって使用されるオーバーラップするウィンドウ構造と、以前のオーバーラップするウィンドウに関する信号推定値とを活用することを備える、請求項１に記載のストリーミングデータの圧縮センシングを実行するための方法。
【請求項１２】
前記連続するオーバーラップするウィンドウから取得される信号推定値を平均することをさらに備え、ここにおいて、ストリーミングデータの圧縮センシングを実行することは、好ましくは、
台集合検出を実行することと、
信号振幅推定と
を備える、請求項１に記載のストリーミングデータの圧縮センシングを実行するための方法。
【請求項１３】
大きい測定雑音の存在下で、ロバストな台推定のために投票方式を適用することをさらに備える、請求項１に記載のストリーミングデータの圧縮センシングを実行するための方法。
【請求項１４】
ストリーミングデータを感知するための、その上に記録されたコンピュータプログラムを有する非一時的コンピュータ可読記憶媒体であって、前記コンピュータプログラムは、前述の請求項のうちのいずれか一項に記載の方法を実行することが可能なアルゴリズムを備える、非一時的コンピュータ可読記憶媒体。
【請求項１５】
ストリーミングデータの圧縮センシングを実行するための装置であって、
センサデータの入力ストリームからのデータを記憶するように構成されたメモリと、
プロセッサとを備え、前記プロセッサは、
センサデータの入力ストリームにおいてオーバーラップするウィンドウのためのセンシング行列Ａのシーケンスを再帰的に選択することと、第（ｉ＋２）のオーバーラップするウィンドウのための前記センシング行列Ａ(ｉ＋１)は、式Ａ（ｉ＋１）＝［ａ２（ｉ）,ａ３（ｉ）, . . . , ａｎ（ｉ）, ａ１（ｉ）］によって定義され、ここで、ａＬ（ｉ）は、前記センシング行列Ａ(ｉ)の第Ｌ列であり、ｎは各オーバーラップするウィンドウの長さであり、ｉは０以上であり、
式ｙ（ｉ＋１）＝ｙ（ｉ）＋（ｘｉ＋ｎ-ｘｉ）ａ１（ｉ）を使用して、前記第（ｉ＋２）のオーバーラップするウィンドウのための測定値ｙ（ｉ＋１）を取得することと、ここで、ｉは０以上であり、第（ｉ＋１）のオーバーラップするウィンドウに対応するセンサデータの前記入力ストリームの信号ｘ（ｉ）は、式ｘ（ｉ）＝［ｘｉ ｘｉ＋１ . . . ｘｉ＋ｎ−１］によって定義され、最初のオーバーラップするウィンドウのための前記推定値ｙ（０）は、式ｙ（０）＝Ａ（０）ｘ（０）によって定義される、
に少なくとも部分的によって、センサデータの入力ストリームを、連続するオーバーラップするウィンドウを使用して再帰的にサンプリングする
ように構成される、装置。
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
ＪＱ１およびそのアナログから選択される１以上の第一の剤および１以上の第二の剤を含む、それを必要とする対象において新生物を処置することにおける使用のための医薬組成物であって、１以上の第二の剤が、
ＭＫ２２０６、ダサチニブ、ＡＺＤ６２４４、クリゾチニブ、ＣＹＴ３８７、ラパチニブ、フラボピリドール、ｙ−２７６３２、エルロチニブ、アファチニブ、アキシチニブ、ボスチニブ、セツキシマブ、フォスタマチニブ、ゲフィチニブ、イマチニブ、ラパチニブ、レンバチニブ、ムブリチニブ、ニロチニブ、パニツムマブ、パゾパニブ、ルクソリチニブ、ソラフェニブ、スニチニブ、トラスツズマブ、バンデタニブ、およびベムラフェニブからなる群から選択されるキナーゼインヒビター；
抗アポトーシス剤；
ビンクリスチン、エトポシド、１７−ＡＡＧ、アドルシル、ＳＡＨＡ、ドキシル、ゲムシタビン、ＡＺＤ２２８１、ＤＢＺ、イホスファミド、レブリミド、プレドニゾン、リツキシマブ、ベバシズマブ、ペガプタニブ、およびラニビズマブからなる群から選択される抗新生物剤；
テムシロリムスまたはＢＥＺ２３５、ここでテムシロリムスまたはＢＥＺ２３５は単独では抗新生物効果を有しない用量で投与される；
から選択される、前記医薬組成物。
【請求項２】
キナーゼインヒビターが、クリゾチニブ、ＣＹＴ３８７、ラパチニブ、およびフラボピリドールからなる群から選択される、請求項１に記載の医薬組成物。
【請求項３】
ＪＱ１および／またはそのアナログが、１以上の第二の剤と別々に、連続的に、または同時に投与される、請求項１または２に記載の医薬組成物。
【請求項４】
抗アポトーシス剤が、ＡＢＴ２６３、ＡＢＴ１９９、ＡＢＴ７３７、およびオバトクラックスからなる群から選択される、請求項１に記載の医薬組成物。
【請求項５】
抗新生物剤がゲムシタビンである、請求項１に記載の医薬組成物。
【請求項６】
対象が哺乳動物である、請求項１〜５のいずれか一項に記載の医薬組成物。
【請求項７】
対象がヒト患者である、請求項６に記載の医薬組成物。
【請求項８】
対象が、肺がん、びまん性大細胞型Ｂ細胞リンパ腫およびバーキットリンパ腫を含むリンパ腫、前立腺がん、基底細胞癌、胆道がん、膀胱がん、骨がん、脳がん、ＣＮＳがん、乳がん、子宮頸がん、絨毛癌、大腸がん、直腸がん、結合組織がん、消化器系のがん、子宮内膜がん、食道がん、眼がん、頭頸部のがん、胃のがん、上皮内新生物、腎臓がん、喉頭がん、白血病、肝がん、肺がん、血液新生物、メラノーマ、ミエローマ、神経芽細胞腫、口腔がん、卵巣がん、膵がん、網膜芽細胞腫、横紋筋肉腫、直腸のがん、腎がん、呼吸器系のがん、肉腫、皮膚がん、胃がん、精巣がん、甲状腺がん、子宮がん、および泌尿器系のがんからなる群から選択される新生物を有する、請求項１に記載の医薬組成物。
【請求項９】
新生物が肺がんである、請求項８に記載の医薬組成物。
【請求項１０】
新生物がびまん性大細胞型Ｂ細胞リンパ腫である、請求項８に記載の医薬組成物。
【請求項１１】
新生物がバーキットリンパ腫である、請求項８に記載の医薬組成物。
【請求項１２】
対象が追加の抗新生物療法でさらに処置される、請求項１に記載の医薬組成物。
【請求項１３】
追加の抗新生物療法が、手術、放射線療法、化学療法、遺伝子療法、ＤＮＡ療法、ウイルス療法、ＲＮＡ療法、アジュバント療法、免疫療法またはそれらの組み合わせである、請求項１２に記載の医薬組成物。
【請求項１４】
ＪＱ１および／またはそのアナログがＪＱ１である、請求項１に記載の医薬組成物。
【請求項１５】
（ａ）ＪＱ１およびそのアナログから選択される第一の剤、および
（ｂ）ＭＫ２２０６、ダサチニブ、ＡＺＤ６２４４、クリゾチニブ、ＣＹＴ３８７、ラパチニブ、フラボピリドール、ｙ−２７６３２、エルロチニブ、アファチニブ、アキシチニブ、ボスチニブ、セツキシマブ、フォスタマチニブ、ゲフィチニブ、イマチニブ、レンバチニブ、ムブリチニブ、ニロチニブ、パニツムマブ、パゾパニブ、ルクソリチニブ、ソラフェニブ、スニチニブ、トラスツズマブ、バンデタニブ、およびベムラフェニブからなる群から選択されるキナーゼインヒビター
の有効量を含む、医薬組成物。
【請求項１６】
（ａ）ＪＱ１およびそのアナログから選択される第一の剤を含有する容器、および
（ｂ）ＭＫ２２０６、ダサチニブ、ＡＺＤ６２４４、クリゾチニブ、ＣＹＴ３８７、ラパチニブ、フラボピリドール、ｙ−２７６３２、エルロチニブ、アファチニブ、アキシチニブ、ボスチニブ、セツキシマブ、フォスタマチニブ、ゲフィチニブ、イマチニブ、レンバチニブ、ムブリチニブ、ニロチニブ、パニツムマブ、パゾパニブ、ルクソリチニブ、ソラフェニブ、スニチニブ、トラスツズマブ、バンデタニブ、およびベムラフェニブからなる群から選択されるキナーゼインヒビターを含有する容器
を含有する包装を含む、キット。
【手続補正書】
【提出日】平成29年7月10日(2017.7.10)
【手続補正１】
【補正対象書類名】特許請求の範囲
【補正対象項目名】請求項１０
【補正方法】変更
【補正の内容】
【請求項１０】
請求項１〜８のいずれか一項に記載される一般式（Ｉ）の化合物、またはその薬学的に許容される塩、異性体、プロドラッグまたは溶媒和物の医薬としての使用。
【手続補正２】
【補正対象書類名】特許請求の範囲
【補正対象項目名】請求項１１
【補正方法】変更
【補正の内容】
【請求項１１】
シグマ受容体が介在する疾患または状態の治療および／または予防に用いるための、請求項９に記載の医薬組成物。
【手続補正３】
【補正対象書類名】特許請求の範囲
【補正対象項目名】請求項１２
【補正方法】変更
【補正の内容】
【請求項１２】
シグマ受容体が介在する疾患または状態が、疼痛；下痢；リポタンパク質の障害；高脂血症；高トリグリセリド血症；高コレステロール血症；肥満；偏頭痛；関節炎；高血圧；不整脈；潰瘍；緑内障；学習、記憶および注意力の欠如；認知障害；神経変性疾患；脱髄疾患；薬物および化学物質に対する中毒；遅発性ジスキネジア；卒中；てんかん；ストレス；癌；精神病状態；炎症および自己免疫疾患から選択される、請求項１１に記載の医薬組成物。
【手続補正４】
【補正対象書類名】特許請求の範囲
【補正対象項目名】請求項１３
【補正方法】変更
【補正の内容】
【請求項１３】
疼痛が、神経因性疼痛、炎症性疼痛、または異痛症および／または痛覚過敏を伴う他の疼痛状態から選択される、請求項１２に記載の医薬組成物。
【手続補正５】
【補正対象書類名】特許請求の範囲
【補正対象項目名】請求項１４
【補正方法】変更
【補正の内容】
【請求項１４】
薬物および化学物質に対する中毒が、コカイン、アンフェタミン、エタノールまたはニコチンに対する中毒から選択され；
卒中が、虚血性卒中であり；
精神病状態が、鬱病、不安症または統合失調症から選択される、請求項１２に記載の医薬組成物。
【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
生物活性マーカーとしてウリジン、アデニンおよび2-ヒドロキシアデノシンから選ばれる1種以上の窒素含有複素環式化合物を含むニガウリのエキス。
【請求項２】
該エキスが、生物活性マーカーとしてウリジン、アデニンおよび2-ヒドロキシアデノシンを含む、請求項１に記載のエキス。
【請求項３】
該エキスが、生物活性マーカーとして総重量の約0.1 %〜約5 %のウリジン、アデニンおよび2-ヒドロキシアデノシンを含む、請求項１または２に記載のエキス。
【請求項４】
該エキスが、天然ビタミンCおよび繊維で富化されており、ビシンを実質的に含まない、請求項１〜３のいずれか1つに記載のエキス。
【請求項５】
単独もしくは少なくとも1つの医薬的に許容しうる賦形剤との併用で、生物活性マーカーとしてウリジン、アデニンおよび2-ヒドロキシアデノシンから選ばれる1種以上の窒素含有複素環式化合物を含む治療有効量のニガウリの標準化エキスを含む組成物。
【請求項６】
該標準化エキスが、生物活性マーカーとしてウリジン、アデニンおよび2-ヒドロキシアデノシンを含む、請求項５に記載の組成物。
【請求項７】
該標準化エキスが、生物活性マーカーとして総重量の約0.1 %〜約5 %のウリジン、アデニンおよび2-ヒドロキシアデノシンを含む、請求項５または６に記載の組成物。
【請求項８】
該標準化エキスが、天然ビタミンCおよび繊維で富化されており、ビシンを実質的に含まない、請求項５〜７のいずれか1つに記載の組成物。
【請求項９】
該組成物が、経口投与によって提供される、請求項５〜８のいずれか1つに記載の組成物。
【請求項１０】
ニガウリの標準化エキスの製造方法であって、以下のステップ：
a．ニガウリの新鮮な未熟の緑色の果実および種子から絞り汁(juice)を調製する；
b．ステップ(a)で得られた絞り汁をろ過して、懸濁した粒子を含むエキスを得る；
c．天然トニックの添加によって、ステップ(b)で得られた絞り汁エキスのpHを変化させて、酸性pH範囲にする；
d．ステップ(c)で得られた絞り汁エキスを静置する；
e．塩基またはアルカリを用いることによって、ステップ(d)で得られた絞り汁エキスのpHを中和する；
f．ステップ(e)で得られた絞り汁エキスに賦形剤を加えて均質な混合物を得る；
g．ステップ(f)で得られた絞り汁エキスを濃縮して、蒸留下で半固体の塊を得る；
h．ステップ(g)で得られた濃縮絞り汁エキスを乾燥して、ニガウリの乾燥エキスを得る；および
i．ニガウリのエキス中の生物活性マーカーの量を決定する；ここで、生物活性マーカーは、かウリジン、アデニンおよび2-ヒドロキシアデノシンら選ばれる窒素含有複素環式化合物である；
を含む方法。
【請求項１１】
代謝異常の治療のための医薬の製造における、請求項１〜４のいずれか1つに記載のエキスの使用。
【請求項１２】
代謝異常の治療のための医薬の製造における、請求項５〜８のいずれか1つに記載の組成物の使用。
【請求項１３】
代謝異常が、糖尿病または糖尿病に伴う二次性合併症である、請求項１１または１２に記載の使用。
【請求項１４】
糖尿病が、2型糖尿病である、請求項１３に記載の使用。
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
配列番号１のアミノ酸４２〜３３３に少なくとも９５％同一なアミノ酸配列を含むエンドグリンポリペプチドの有効量を含む、線維性障害を処置または予防するための医薬組成物。
【請求項２】
線維性障害が、肝線維症である、請求項１に記載の医薬組成物。
【請求項３】
肝線維症が、肝硬変、アルコール性肝線維症、胆管損傷、原発性胆汁性肝硬変、感染性肝線維症、先天性肝線維症または自己免疫性肝炎である、請求項２に記載の医薬組成物。
【請求項４】
感染性肝線維症が、細菌性またはウイルス性である、請求項３に記載の医薬組成物。
【請求項５】
エンドグリンポリペプチドが、配列番号１のアミノ酸３７９〜４３０からなる配列を含まない、請求項１〜４のいずれか一項に記載の医薬組成物。
【請求項６】
エンドグリンポリペプチドが、配列番号１の２６〜４２のいずれかの位置に対応するアミノ酸から開始し、配列番号１の３３３〜３７８のいずれかの位置に対応するアミノ酸で終止する配列に少なくとも９５％同一なアミノ酸配列を含む、請求項１〜５のいずれか一項に記載の医薬組成物。
【請求項７】
エンドグリンポリペプチドが、以下：
ａ．配列番号１のアミノ酸２６〜３４６
ｂ．配列番号１のアミノ酸２６〜３５９、および
ｃ．配列番号１のアミノ酸２６〜３７８
からなる群から選択される配列に少なくとも９５％同一なアミノ酸配列を含む、請求項１〜６のいずれか一項に記載の医薬組成物。
【請求項８】
エンドグリンポリペプチドが、以下：
ａ．配列番号１のアミノ酸２６〜３４６
ｂ．配列番号１のアミノ酸２６〜３５９、および
ｃ．配列番号１のアミノ酸２６〜３７８
からなる群から選択される配列に少なくとも９５％同一なアミノ酸配列からなる第１部分と、配列番号１に非相同な第２部分からなる、請求項１〜７のいずれか一項に記載の医薬組成物。
【請求項９】
エンドグリンポリペプチドの第２部分が、ＩｇＧのＦｃ部分を含む、請求項８に記載の医薬組成物。
【請求項１０】
エンドグリンポリペプチドが、ダイマーである、請求項１〜９のいずれか一項に記載の医薬組成物。
【請求項１１】
エンドグリンポリペプチドが、ホモダイマーである、請求項１〜１０のいずれか一項に記載の医薬組成物。
【請求項１２】
エンドグリンポリペプチドが、配列番号１のアミノ酸３７９〜５８６からなる配列からの連続した５０を超えるアミノ酸を含まない、請求項１〜１１のいずれか一項に記載の医薬組成物。
【請求項１３】
エンドグリンポリペプチドが、ヒトＢＭＰ−９に、１×１０−９Ｍ未満の平衡解離定数（ＫＤ）または１×１０−３ｓ−１未満の解離速度定数(ｋｄ)で結合する、請求項１〜１２のいずれか一項に記載の医薬組成物。
【請求項１４】
エンドグリンポリペプチドが、ヒトＢＭＰ−９に、１×１０−９Ｍ未満の平衡解離定数（ＫＤ）または５×１０−４ｓ−１未満の解離速度定数(ｋｄ)で結合する、請求項１〜１３のいずれか一項に記載の医薬組成物。
【請求項１５】
エンドグリンポリペプチドが、ヒトＢＭＰ−１０に、１×１０−９Ｍ未満の平衡解離定数（ＫＤ）または５×１０−３ｓ−１未満の解離速度定数(ｋｄ)で結合する、請求項１〜１４のいずれか一項に記載の医薬組成物。
【請求項１６】
エンドグリンポリペプチドが、ヒトＢＭＰ−１０に、１×１０−９Ｍ未満の平衡解離定数（ＫＤ）または２．５×１０−３ｓ−１未満の解離速度定数（ｋｄ）で結合する、請求項１〜１５のいずれか一項に記載の医薬組成物。
【請求項１７】
エンドグリンポリペプチドが、ヒトＴＧＦ−β１にも、ヒトＴＧＦ−β３にも、ヒトＶＥＧＦにも、ヒト塩基性線維芽細胞増殖因子（ＦＧＦ−２）にも結合しない、請求項１〜１６のいずれか一項に記載の医薬組成物。
【請求項１８】
エンドグリンポリペプチドが、エンドグリンアミノ酸配列を含む部分に加えて、以下：in vivo安定性、in vivo半減期、取込み／投与、組織の局在化または分散、タンパク質複合体の形成および/または精製、の１以上を強化する１以上のポリペプチド部分を含む、融合タンパク質である、請求項１〜１７のいずれか一項に記載の医薬組成物。
【請求項１９】
エンドグリンポリペプチドが、イムノグロブリンの定常領域および血清アルブミンからなる群から選択される部分を含む、請求項１〜１８のいずれか一項に記載の医薬組成物。
【請求項２０】
エンドグリンポリペプチドが、イムノグロブリンＦｃドメインを含む、請求項１〜１９のいずれか一項に記載の医薬組成物。
【請求項２１】
イムノグロブリンＦｃドメインが、ＥＮＧポリペプチド部分に、リンカーによって連結されている、請求項２０に記載の医薬組成物。
【請求項２２】
リンカーが、配列番号３１（ＴＧＧＧ）またはＧＧＧからなるアミノ酸配列からなる、請求項２１に記載の医薬組成物。
【請求項２３】
エンドグリンペプチドが、以下：糖化アミノ酸、ＰＥＧ化アミノ酸、ファネシル化アミノ酸、アセチル化アミノ酸、ビオチン化アミノ酸、脂質部分に結合したアミノ酸、および、有機誘導体化剤に結合したアミノ酸、から選択される１個以上の改変アミノ酸残基を含む、請求項１〜２２のいずれか一項に記載の医薬組成物。
【請求項２４】
静脈内、筋肉内、動脈内、皮下または経口的に投与される、請求項１〜２３のいずれか一項に記載の医薬組成物。